(57)【要約】【課題】形状やＬＥＤの実装個数を変更できるようにＬＥＤ実装用のフレキシブル配線板を改良して組み込んだ液晶モジュールを提供する。【解決手段】フレキシブル配線板１０に実装したＬＥＤ８を導光板３の端面に沿って配置し、反射シート２を導光板３の後面に重ねて設けると共に、光学シート４，５と液晶パネル６を導光板３の前面に重ねて設けた液晶モジュールにおいて、フレキシブル配線板１０が、Ｔ形の電源用フレキシブル配線分割片１１と一つ以上の長方形のＬＥＤ実装用フレキシブル配線分割片１２を接続して構成されたものとする。Ｔ形の電源用フレキシブル配線分割片１１の両側に接続されるＬＥＤ実装用フレキシブル配線分割片１２の個数を増減することで、フレキシブル配線板１０の形状をＴ形、変則的なＴ形、実質的なＬ形のいずれかに変更できるようにすると共に、ＬＥＤ８の実装個数も変更できるようにする。【選択図】図１
2009104801.tif 000002
【特許請求の範囲】
【請求項１】
フレキシブル配線板に実装したＬＥＤを導光板の端面に沿って配置し、反射シートを導光板の後面に重ねて設けると共に、光学シートと液晶パネルを導光板の前面に重ねて設けた液晶モジュールにおいて、
上記フレキシブル配線板が、電源用フレキシブル配線分割片と一つ以上のＬＥＤ実装用フレキシブル配線分割片を接続して構成されていることを特徴とする液晶モジュール。
【請求項２】
電源用フレキシブル配線分割片はＴ形の平面形状を有し、その横長帯状部の両端に接続用ランドが一対ずつ設けられると共に、その縦長帯状部に一対の電源端子用ランドが設けられたものであり、一方、ＬＥＤ実装用フレキシブル配線分割片は長方形の平面形状を有し、その両端に接続用ランドが設けられると共に、その中央に一対のＬＥＤ実装用ランドが設けられたものであり、この電源用フレキシブル配線分割片と一つ以上のＬＥＤ実装用フレキシブル配線分割片が各分割片の接続用ランドで半田接続されていることを特徴とする請求項１に記載の液晶モジュール。
【請求項３】
電源用フレキシブル配線分割片の横長帯状部の一端においてその片面に一対の接続用ランドが設けられると共に、横長帯状部の他端においてその反対面に一対の接続用ランドが設けられており、一方、ＬＥＤ実装用フレキシブル配線分割片の一端においてその片面に一対の接続用ランドが設けられると共に、ＬＥＤ実装用フレキシブル配線分割片の他端においてその反対面に一対の接続用ランドが設けられており、この電源用フレキシブル配線分割片と一つ以上のＬＥＤ実装用フレキシブル配線分割片が、半田ペーストを挟んで各分割片の片面の接続用ランドと反対面の接続用ランドを重ね合わせた部分で熱圧着されて接続されていることを特徴とする請求項２に記載の液晶モジュール。
【請求項４】
電源端子用ランドとＬＥＤ実装用ランドのいずれか一方が片面側になり他方が反対面側となるように、電源用フレキシブル配線分割片と一つ以上のＬＥＤ実装用フレキシブル配線分割片が接続されていることを特徴とする請求項２又は請求項３に記載の液晶モジュール。
【請求項５】
横長帯状部の中央においてその片面に一対のＬＥＤ実装用ランドを設けると共に、縦長帯状部の反対面に一対の電源端子用ランドを設けた電源用フレキシブル配線分割片と、片面に一対のＬＥＤ実装用ランドを設けた一つ以上のＬＥＤ実装用フレキシブル配線分割片が、各分割片の接続用ランドで接続されていることを特徴とする請求項４に記載の液晶モジュール。
【請求項６】
電源用フレキシブル配線分割片が、横長帯状部の一端においてその片面に設けられた一対の接続用ランドと、横長帯状部の他端においてその反対面に設けられた一対の接続用ランドと、横長帯状部の中央においてその片面に設けられた一対のＬＥＤ実装用ランドと、縦長帯状部の反対面に設けられた一対の電源端子用ランドとを備え、横長帯状部一端の一方の接続用ランドと、一方のＬＥＤ実装用ランドと、一方の電源端子用ランドと、横長帯状部他端の一方の接続用ランドが、導線パターンによって導通されると共に、横長帯状部一端の他方の接続用ランドと、他方のＬＥＤ実装用ランドと、他方の電源端子用ランドと、横長帯状部他端の他方の接続用ランドが、導線パターンによって導通されたものであり、一方、ＬＥＤ実装用フレキシブル配線分割片は、分割片一端においてその片面に設けられた一対の接続用ランドと、分割片他端においてその反対面に設けられた一対の接続用ランドと、分割片中央においてその片面に設けられた一対のＬＥＤ実装用ランドとを備え、分割片一端の一方の接続用ランドと、一方のＬＥＤ実装用ランドと、分割片他端の一方の接続用ランドが、導線パターンによって導通されると共に、分割片一端の他方の接続用ランドと、他方のＬＥＤ実装用ランドと、分割片他端の他方の接続用ランドが、導線パターンによって導通されたものであることを特徴とする請求項２ないし請求項５のいずれかに記載の液晶モジュール。
【発明の詳細な説明】
【技術分野】
【０００１】
本発明は、携帯電話、デジタルスチルカメラ、インクジェットプリンターその他の機器に組み込まれるサイドエッジライト方式の液晶モジュールに関し、特にＬＥＤが実装されるフレキシブル配線基板を改良した液晶モジュールに関する。
【背景技術】
【０００２】
従来の一般的なサイドエッジライト方式の小型の液晶モジュールは、図８に示すように、Ｔ形のフレキシブル配線板１００に実装した複数のＬＥＤ８を導光板３の端面に沿って配置すると共に、フレキシブル配線基板１００の一対の電源端子１１ｃ，１１ｄを、液晶パネル（不図示）から引き出されたメインのフレキシブル配線板（不図示）の光源用端子に接続し、ＬＥＤ８から導光板３に入射した光を導光板３の前面から液晶パネルの背面へ照射するように構成している。
【０００３】
このような液晶モジュールでは、メインのフレキシブル配線板の引き出される位置が変更されると、その光源用端子とＴ形のフレキシブル配線板１００の電源端子１１ｃ，１１ｄを重ねて接続できるように、メインのフレキシブル配線板が引き出される位置に合わせて、電源端子１１ｃ，１１ｄのある縦帯部１００ａを片側に偏位させた変則的なＴ形のフレキシブル配線板を用いる必要があり、場合によっては、Ｌ形のフレキシブル配線板を用いなければならないこともある。
【０００４】
一方、第二フレキシブル基板に、第一フレキシブル基板から延出されてその２箇所で折返し状に折り曲げられた分岐部を連設させることにより、第一及び第二のフレキシブル基板を一体化し、第一フレキシブル基板の裏面に、パネル側端子１１とコネクタ側端子とを具備させ、第二フレキシブル基板の裏面に発光素子を搭載し、第二フレキシブル基板の発光素子搭載領域を第一フレキシブル基板のパネル側端子の接続部分との重なり領域に配備した液晶モジュールが提案されている（特許文献１）
【０００５】
また、液晶セルに対向するＬＥＤに接続されるフレキシブルプリントケーブル製点灯用導線が、ＬＥＤ付き導線本体と、導線本体に直線状に一体接続した延長線とからなり、その導線本体と延長線との境界部分を折り曲げることにより、その延長線が導線本体に対してほぼ直角の対向角度αを挟んで対向配置され、延長線の中央部を折り曲げて延長線の端部をセル駆動用導線の端部に接続した液晶表示装置も提案されている（特許文献２）。
【０００６】
更に、フレキシブル基板の表面側に、発光ダイオード接続用端子を等間隔且つ直線状に配設し、これらに、表面実装型の発光ダイオードをフレキシブル基板の表面側で接続した発光ダイオードアレイも提案されており、この発光ダイオードアレイ同士を端部で接続して長尺の直線状アレイを構成することが開示されている（特許文献３）。
【特許文献１】特開２００７−１３３０６２号公報
【特許文献２】特開２００７−１２７７４２号公報
【特許文献３】特開２００２−２３２００９号公報
【発明の開示】
【発明が解決しようとする課題】
【０００７】
しかしながら、図８に示すようなＴ形のフレキシブル配線板１００にＬＥＤ８を実装して導光板３の端面に配置する従来の液晶モジュールでは、既述したように、メインのフレキシブル配線板の引き出される位置が変更されると、それに合わせた変則的なＴ形のフレキシブル配線板やＬ形のフレキシブル配線板を用いることが必要になり、その都度、フレキシブル配線板を新たに設計、作製しなければならないので、コストアップを招くという問題があった。また、実装するＬＥＤ８の個数を変更する場合も、それに対応して配線パターンを変更したフレキシブル配線板を新たに設計、作製しなければならないので、同様にコストアップを招くという問題があった。
【０００８】
また、特許文献１の液晶モジュールや特許文献２の液晶表示装置も、発光素子（ＬＥＤ）の個数を変更する場合には、それに対応して配線パターンを変更したフレキシブル基板を新たに設計、作製する必要があるため、やはりコストアップを招くという問題がある。
【０００９】
これに対し、特許文献３の発光ダイオードアレイは、接続によって長尺の直線状アレイを構成することはできるが、その中間部に電源端子を備えたＴ形アレイや変則Ｔ形アレイを構成することは不可能であり、しかも、一つの発光ダイオードアレイに複数の発光ダイオードが実装されている関係上、発光ダイオードを一つずつ増減させることもできないため、このような発光ダイオードアレイは液晶モジュールに到底採用することができない。
【００１０】
本発明は上記事情の下になされたもので、その解決しようとする課題は、形状やＬＥＤの実装個数を変更できるようにＬＥＤ実装用のフレキシブル配線板を改良して組み込んだ液晶モジュールを提供することにある。
【課題を解決するための手段】
【００１１】
上記課題を解決するため、本発明に係る液晶モジュールは、フレキシブル配線板に実装したＬＥＤを導光板の端面に沿って配置し、反射シートを導光板の後面に重ねて設けると共に、光学シートと液晶パネルを導光板の前面に重ねて設けた液晶モジュールにおいて、上記フレキシブル配線板が、電源用フレキシブル配線分割片と一つ以上のＬＥＤ実装用フレキシブル配線分割片を接続して構成されていることを特徴とするものである。
【００１２】
具体的には、電源用フレキシブル配線分割片はＴ形の平面形状を有し、その横長帯状部の両端に接続用ランドが一対ずつ設けられると共に、その縦長帯状部に一対の電源端子用ランドが設けられたものであり、一方、ＬＥＤ実装用フレキシブル配線分割片は長方形の平面形状を有し、その両端に接続用ランドが設けられると共に、その中央に一対のＬＥＤ実装用ランドが設けられたものであり、この電源用フレキシブル配線分割片と一つ以上のＬＥＤ実装用フレキシブル配線分割片が各分割片の接続用ランドで半田接続されることによって、液晶モジュールのＬＥＤ実装用の上記フレキシブル配線板が構成されたものである。
【００１３】
そして、更に具体的には、電源用フレキシブル配線分割片の横長帯状部の一端においてその片面に一対の接続用ランドが設けられると共に、横長帯状部の他端においてその反対面に一対の接続用ランドが設けられており、一方、ＬＥＤ実装用フレキシブル配線分割片の一端においてその片面に一対の接続用ランドが設けられると共に、ＬＥＤ実装用フレキシブル配線分割片の他端においてその反対面に一対の接続用ランドが設けられており、この電源用フレキシブル配線分割片と一つ以上のＬＥＤ実装用フレキシブル配線分割片が、半田ペーストを挟んで各分割片の片面の接続用ランドと反対面の接続用ランドを重ね合わせた部分で熱圧着されて接続されることにより、液晶モジュールのＬＥＤ実装用の上記フレキシブル配線板が構成されたものである。
【００１４】
このような液晶モジュールのＬＥＤ実装用のフレキシブル配線板においては、電源端子用ランドとＬＥＤ実装用ランドのいずれか一方が片面側になり他方が反対面側となるように、電源用フレキシブル配線分割片と一つ以上のＬＥＤ実装用フレキシブル配線分割片が接続されていることが好ましい。特に、横長帯状部の中央においてその片面に一対のＬＥＤ実装用ランドを設けると共に、縦長帯状部の反対面に一対の電源端子用ランドを設けた電源用フレキシブル配線分割片と、片面に一対のＬＥＤ実装用ランドを設けた一つ以上のＬＥＤ実装用フレキシブル配線分割片が、各分割片の接続用ランドで接続されていることが好ましい。
【００１５】
そして、本発明に係る液晶モジュールの最も具体的で好ましいＬＥＤ実装用のフレキシブル配線板は、その電源用フレキシブル配線分割片が、横長帯状部の一端においてその片面に設けられた一対の接続用ランドと、横長帯状部の他端においてその反対面に設けられた一対の接続用ランドと、横長帯状部の中央においてその片面に設けられた一対のＬＥＤ実装用ランドと、縦長帯状部の反対面に設けられた一対の電源端子用ランドとを備え、横長帯状部一端の一方の接続用ランドと、一方のＬＥＤ実装用ランドと、一方の電源端子用ランドと、横長帯状部他端の一方の接続用ランドが、導線パターンによって導通されると共に、横長帯状部一端の他方の接続用ランドと、他方のＬＥＤ実装用ランドと、他方の電源端子用ランドと、横長帯状部他端の他方の接続用ランドが、導線パターンによって導通されたものであり、一方、ＬＥＤ実装用フレキシブル配線分割片は、分割片一端においてその片面に設けられた一対の接続用ランドと、分割片他端においてその反対面に設けられた一対の接続用ランドと、分割片中央においてその片面に設けられた一対のＬＥＤ実装用ランドとを備え、分割片一端の一方の接続用ランドと、一方のＬＥＤ実装用ランドと、分割片他端の一方の接続用ランドが、導線パターンによって導通されると共に、分割片一端の他方の接続用ランドと、他方のＬＥＤ実装用ランドと、分割片他端の他方の接続用ランドが、導線パターンによって導通されたものである。
【発明の効果】
【００１６】
本発明の液晶モジュールのように、ＬＥＤを実装するフレキシブル配線板が、電源用フレキシブル配線分割片と一つ以上のＬＥＤ実装用フレキシブル配線分割片を接続して構成されるものであると、その接続の仕方や、接続されるＬＥＤ実装用フレキシブル配線分割片の数によって、フレキシブル配線板の形状や、実装されるＬＥＤの個数を変更することができる。
【００１７】
即ち、電源用フレキシブル配線分割片が具体的にＴ形の平面形状を有し、その横長帯状部の両端に接続用ランドが一対ずつ設けられると共に、その縦長帯状部に一対の電源端子用ランドが設けられたものであり、一方、ＬＥＤ実装用フレキシブル配線分割片が具体的に長方形の平面形状を有し、その両端に接続用ランドが設けられると共に、その中央に一対のＬＥＤ実装用ランドが設けられたものである場合は、例えば、電源用フレキシブル配線分割片の横長帯状部の両端にＬＥＤ実装用フレキシブル配線分割片を同数ずつ配置し、各分割片の接続用ランド同士を半田接続することによって、電源用フレキシブル配線分割片の電源端子用ランドを設けた縦長帯状部が中心線上に位置するＴ形のフレキシブル配線板を作製することができ、また、ＬＥＤ実装用フレキシブル配線分割片の接続数を増減したり、ＬＥＤを実装するＬＥＤ実装用フレキシブル配線分割片を選択することによって、ＬＥＤの実装個数を自由に変更することができる。そして、電源用フレキシブル配線分割片の横長帯状部の一端に接続するＬＥＤ実装用フレキシブル配線分割片の数と、横長帯状部の他端に接続するＬＥＤ実装用フレキシブル配線分割片の数を異ならせると、電源用フレキシブル配線分割片の電源端子用ランドを設けた縦長帯状部が中心線から片側へ偏位した変則的なＴ形のフレキシブル配線板を作製することができ、更に、電源用フレキシブル配線分割片の横長帯状部のいずれか一端のみに一つ以上のＬＥＤ実装用フレキシブル配線分割片を接続すると、電源用フレキシブル配線分割片の縦長帯状部が他端に位置する実質的にＬ形のフレキシブル配線板を作製することができる。
【００１８】
従って、液晶パネルから引き出されるメインのフレキシブル配線板の位置が変更されても、メインのフレキシブル配線板の光源用端子と電源用フレキシブル配線分割片の縦長帯状部の電源端子用ランドを重ねて接続できるように、ＬＥＤ実装用のフレキシブル配線板の形状をＴ形、変則的なＴ形、実質的なＬ形のいずれかに変更して対応することができるので、新たにＬＥＤ実装用のフレキシブル配線板を設計、作製する必要がなくなり、その分だけコストの低減を図ることができる。また、ＬＥＤの実装個数を変更する場合でも、ＬＥＤ実装用フレキシブル配線分割片の接続数を変更したり、ＬＥＤを実装するＬＥＤ実装用フレキシブル配線分割片を選択することによって簡単に対応できるので、新たにＬＥＤ実装用のフレキシブル配線板を設計、作製することが不要となり、その分だけコストの低減を図ることができる。また、このようにＬＥＤの実装個数を自由に変更できると、最適なＬＥＤの実装個数を検討する場合にも、極めて有効に活用することができる。
【００１９】
また、前述したように、電源用フレキシブル配線分割片と一つ以上のＬＥＤ実装用フレキシブル配線分割片を、半田ペーストを挟んで各分割片の片面の接続用ランドと反対面の接続用ランドを重ね合わせた部分で熱圧着して接続したものは、各分割片の接続作業が容易で効率良くＬＥＤ実装用のフレキシブル配線板を作製することができる。
【００２０】
そして、電源端子用ランドとＬＥＤ実装用ランドのいずれか一方が片面側になり他方が反対面側となるように、電源用フレキシブル配線分割片と一つ以上のＬＥＤ実装用フレキシブル配線分割片を接続したものは、通常、ＬＥＤの実装面と反対面側に液晶パネルのメインのフレキシブル配線板が引き出されるので、電源用フレキシブル配線分割片の縦長帯状部を折り畳むことなく、電源端子用ランドをメインフレキシブル配線板の光源用端子に重ねて接続することができる。
【００２１】
更に、電源用フレキシブル配線分割片の横長帯状部の中央において一対のＬＥＤ実装用ランドを設けると共に、縦長帯状部の反対面に一対の電源端子用ランドを設け、この電源用フレキシブル配線分割片と、片面に一対のＬＥＤ実装用ランドを設けたＬＥＤ実装用フレキシブル配線分割片とを接続して、ＬＥＤ実装用のフレキシブル配線板を作製したものは、電源端子用ランドをメインフレキシブル配線板の光源用端子に接続しやすいことに加えて、電源用フレキシブル配線分割片をＬＥＤ実装用フレキシブル配線分割片として兼用できる利点がある。
【００２２】
そして、前述した最も具体的で好ましいＬＥＤ実装用のフレキシブル配線板は以上説明した全ての作用効果を奏するものであり、このようなフレキシブル配線板を組み込んだ液晶モジュールは、コスト面および製造面において極めて有利なものである。
【発明を実施するための最良の形態】
【００２３】
以下、図面を参照して本発明の具体的な実施形態を詳述する。
【００２４】
図１は本発明の一実施形態に係る液晶モジュールの分解斜視図、図２は同液晶モジュールの部分断面図、図３は同液晶モジュールに組み込まれるＬＥＤ実装用のフレキシブル配線板の底面図、図４はＬＥＤ実装用のフレキシブル配線板の他の例を示す底面図、図５は電源用フレキシブル配線分割片の底面図、図６はＬＥＤ実装用フレキシブル配線分割片の底面図、図７は電源用フレキシブル配線分割片とＬＥＤ実装用フレキシブル配線分割片との接続部分の断面図である。
【００２５】
この液晶モジュールの全体構造を説明すると、図１、図２に示すように、方形枠状の合成樹脂製のリアフレーム１の内側には、透明性に優れた合成樹脂製の導光板３が嵌め込まれ、この導光板３の後面（下面）には、光反射率の高い反射シート２が重ねて設けられている。そして、この導光板３の一端面には、Ｔ形のフレキシブル配線板１０の片面（下面）に実装された複数（本実施形態では３つ）のＬＥＤ８が配置されている。このフレキシブル配線板１０については、後で詳しく説明する。
【００２６】
上記導光板３の前面（上面）には、光学シートとして、光拡散シート４と２枚のプリズムシート５，５が重ねて設けられ、その前方（上方）にスペーサ９ａ，９ｂを介して液晶パネル６が重ねて設けられている。そして、方形枠状の金属製のベゼル７が液晶パネル６の前方（上方）からマスキングテープ１３を介して外嵌合され、前記リアフレーム１の側面に形成されたそれぞれの係合爪１ａをベゼル７の側面に形成されたそれぞれの被係合口７ａに係合させることによって、分離しないように一体に組み立てられている。
【００２７】
液晶パネル６のコネクタ部に接続されたメインのフレキシブル配線板１４は、ベゼル７の一辺の中央に形成された引出部７ｂから外部へ引き出されており、このフレキシブル配線板１４の接続部分は絶縁テープ１５で被覆されている。そして、ＬＥＤ実装用のフレキシブル配線板１０の縦長帯状部１１ａは、リアフレーム１の一辺の中央に形成された引出部１ｂから外部へ引き出されており、この縦長帯状部１１ｂの上面に設けられた一対の電源端子用ランド１１ｃ，１１ｄと、メインのフレキシブル配線板１４の下面に設けられた一対の光源用端子１４ａ，１４ｂが半田接続されて、絶縁テープ１６で被覆されている。
【００２８】
この液晶モジュールの大きい特徴は、ＬＥＤ実装用のフレキシブル配線板１０にある。即ち、このフレキシブル配線板１０は、図３に示すように、電源用フレキシブル配線分割片１１と、一つ以上（本実施形態では２つ）のＬＥＤ実装用フレキシブル配線分割片１２を接続して構成されたものであって、電源用フレキシブル配線分割片１１は、図３，図５に示すように、横長帯状部１１ａと縦長帯状部１１ｂとからなるＴ形の平面形状を有しており、ＬＥＤ実装用フレキシブル配線分割片１２は、図３，図６に示すように、電源用フレキシブル配線分割片１１の横長帯状部１１ａと同一の幅寸法とされた長方形の平面形状を有している。
【００２９】
電源用フレキシブル配線分割片１１は、二層の配線パターン面を有し、その表面を絶縁被膜で覆った二層配線構造の分割片であって、図５に示すように、横長帯状部１１ａの一端（図５では右端）においてその片面（図５では表面）には一対の接続用ランド１１ｅ，１１ｆが設けられており、横長帯状部１１ａの他端（図５では左端）においてその反対面（図５では裏面）にも一対の接続用ランド１１ｇ，１１ｈが設けられている。そして、この電源用フレキシブル配線分割片１１をＬＥＤ実装用フレキシブル配線分割片として共用できるように、横長帯状部１１ａの中央においてその片面（図５では表面）には一対のＬＥＤ実装用ランド１１ｉ，１１ｊが設けられており、また、縦長帯状部１１ｂの反対面（図５では裏面）には前記の一対の電源端子用ランド１１ｃ，１１ｄが設けられている。これらのランドはいずれも、絶縁被膜を除去して配線パターン面を露出させることにより設けられたものである。尚、図３〜図６はいずれも底面図であるから、これら図３〜図６における各分割片１１，１２の片面（表面）とは実際には各分割片１１，１２の下面を意味し、反対面（裏面）とは実際には上面を意味する。
【００３０】
横長帯状部１１ａ一端の一方の接続用ランド１１ｅと、一方のＬＥＤ実装用ランド１１ｉと、一方の電源端子用ランド１１ｃと、横長帯状部１１ａ他端の一方の接続用ランド１１ｇは、導線パターン１１ｋによって互いに導通されており、この導線パターン１１ｋは、ＬＥＤ実装用ランド１１ｉと電源端子用ランド１１ｃとの間のスルーホール１１ｍで片面（表面）から反対面（裏面）へ移行している。また、横長帯状部１１ａ一端の他方の接続用ランド１１ｆと、他方のＬＥＤ実装用ランド１１ｊと、他方の電源端子用ランド１１ｄと、横長帯状部１１ａ他端の他方の接続用ランド１１ｈは、導線パターン１１ｎによって互いに導通されており、この導線パターン１１ｎは、ＬＥＤ実装用ランド１１ｊと電源端子用ランド１１ｄとの間のスルーホール１１ｐ、及び、ＬＥＤ実装用ランド１１ｊと接続用ランド１１ｈとの間のスルーホール１１ｑにおいて、片面（表面）から反対面（裏面）へ移行し、電源端子用ランド１１ｄと接続用ランド１１ｈまで延びている。
【００３１】
上記のＬＥＤ実装用フレキシブル配線分割片１２も二層配線構造の分割片であって、図６に示すように、分割片の一端（図６では右端）においてその片面（図６では表面）には一対の接続用ランド１２ａ，１２ｂが設けられており、分割片の他端（図６では左端）においてその反対面（図６では裏面）にも一対の接続用ランド１２ｃ，１２ｄが設けられている。そして、分割片の中央においてその片面（図６では表面）には、一対のＬＥＤ実装用ランド１２ｅ，１２ｆが設けられている。
【００３２】
分割片一端の一方の接続用ランド１２ａと、一方のＬＥＤ実装用ランド１２ｅと、分割片他端の一方の接続用ランド１２ｃは、導線パターン１２ｇによって互いに導通されており、この導線パターン１２ｇは、ＬＥＤ実装用ランド１２ｅと分割片他端の接続用ランド１２ｃとの間のスルーホール１２ｈで片面（表面）から反対面（裏面）へ移行して接続用ランド１２ｃまで延びている。また、分割片一端の他方の接続用ランド１２ｂと、他方のＬＥＤ実装用ランド１２ｆと、分割片他端の他方の接続用ランド１２ｄは、導線パターン１２ｉによって互いに導通されており、この導線パターン１２ｉは、ＬＥＤ実装用ランド１２ｆと分割片他端の接続用ランド１２ｄとの間のスルーホール１２ｊで片面（表面）から反対面（裏面）へ移行して接続用ランド１２ｄまで延びている。
【００３３】
前記のＴ形のＬＥＤ実装用のフレキシブル配線板１０は、図３に示すように、電源用フレキシブル配線分割片１１の横長帯状部１１ａの両側にＬＥＤ実装用フレキシブル配線分割片１２，１２を配置し、図７に示すように、半田ペースト１７を挟んで横長帯状部１１ａ一端の接続用ランド１１ｅ，１１ｆと一方のＬＥＤ実装用フレキシブル配線分割片１２他端の接続用ランド１２ｃ，１２ｄを重ね、この重ねた部分を熱圧着すると共に、横長帯状部１１ａ他端の接続用ランド１１ｇ，１１ｈと他方のＬＥＤ実装用フレキシブル配線分割片１２一端の接続用ランド１２ａ，１２ｂを同様に熱圧着して接続することにより、作製されたものである。
【００３４】
上記のように電源用フレキシブル配線分割片１１と２つのＬＥＤ実装用フレキシブル配線分割片１２，１２を接続すると、ＬＥＤ８を並列接続して実装できる点灯回路を備えたフレキシブル配線板１０が作製されるので、両側のＬＥＤ実装用フレキシブル配線分割片１２，１２のそれぞれのＬＥＤ実装用ランド１２ｅ，１２ｆにＬＥＤ８を半田で実装する場合には、２灯タイプのフレキシブル配線板として使用でき、電源用フレキシブル配線分割片１１をＬＥＤ実装用フレキシブル配線分割片として共用して電源用フレキシブル配線分割片１１のＬＥＤ実装用ランド１１ｉ，１１ｊにもＬＥＤ８を実装する場合は、３灯タイプのフレキシブル配線板として使用することができる。また、このＴ形のフレキシブル配線板１０は、その片面（表面、実際には下面）にＬＥＤ８が実装され、反対面（裏面、実際には上面）に電源端子用ランド１１ｃ，１１ｄが設けられたものであるから、前述したように、縦長帯状部１１ｂを折り返したりすることなく、電源端子用ランド１１ｃ，１１ｄをメインフレキシブル配線板１４の下面の光源用端子１４ａ，１４ｂに重ねて容易に半田接続することができる。
【００３５】
上記のようにＬＥＤ実装用のフレキシブル配線板１０が、Ｔ形の電源用フレキシブル配線分割片１１と一つ以上のＬＥＤ実装用フレキシブル配線分割片１２を接続したものであると、その接続の仕方や、接続されるＬＥＤ実装用フレキシブル配線分割片１２の数によって、フレキシブル配線板１０の形状や、実装されるＬＥＤ８の個数を変更することができる。例えば、電源用フレキシブル配線分割片１１の横長帯状部１１ａの両端に、既述したようにＬＥＤ実装用フレキシブル配線分割片１２を同数ずつ配置して各分割片の接続用ランド同士を半田接続する場合は、電源用フレキシブル配線分割片１１の電源端子用ランド１１ｃ，１１ｄを設けた縦長帯状部１１ｂが中心線上に位置するＴ形のフレキシブル配線板１０を作製することができるし、電源用フレキシブル配線分割片１１の横長帯状部１１ａの両端に接続するＬＥＤ実装用フレキシブル配線分割片１２の数を異ならせる場合は、電源用フレキシブル配線分割片１１の縦長帯状部１１ｂが中心線から片側へ偏位した変則的なＴ形のフレキシブル配線板を作製することができる。また、図４に示すように、電源用フレキシブル配線分割片１１の横長帯状部１１ａのいずれか一端（図４では左端）のみに一つ以上のＬＥＤ実装用フレキシブル配線分割片１２を接続する場合は、電源用フレキシブル配線分割片１１の縦長帯状部１１ｂが他端（図４では右端）に位置する実質的にＬ形のフレキシブル配線板１０を作製することができる。そして、これらの場合に、ＬＥＤ実装用フレキシブル配線分割片１２の接続数を増減したり、ＬＥＤ８を実装するＬＥＤ実装用フレキシブル配線分割片１２を選択することによって、ＬＥＤ８の実装個数を自由に変更することができる。
【００３６】
従って、液晶パネル６から引き出されるメインのフレキシブル配線板１４の位置が変更されても、メインのフレキシブル配線板１４の光源用端子１４ａ，１４ｂと電源用フレキシブル配線分割片１１の縦長帯状部１１ｂの電源端子用ランド１１ｃ，１１ｄを重ねて接続できるように、ＬＥＤ実装用のフレキシブル配線板１０の形状をＴ形、変則的なＴ形、実質的なＬ形のいずれかに変更して対応することができるので、新たにＬＥＤ実装用のフレキシブル配線板を設計、作製する必要がなくなり、その分だけコストの低減を図ることができる。また、ＬＥＤ８の実装個数を変更する場合でも、ＬＥＤ実装用フレキシブル配線分割片１２の接続数を変更したり、ＬＥＤ８を実装するＬＥＤ実装用フレキシブル配線分割片１２を選択することによって簡単に対応できるので、新たにＬＥＤ実装用のフレキシブル配線板を設計、作製することが不要となり、その分だけコストの低減を図ることができる。また、このようにＬＥＤ８の実装個数を自由に変更できると、開発の段階で最適なＬＥＤ８の実装個数を検討する場合にも、極めて有効に活用することができる。
【図面の簡単な説明】
【００３７】
【図１】本発明の一実施形態に係る液晶モジュールの分解斜視図である。
【図２】同液晶モジュールの部分断面図である。
【図３】同液晶モジュールに組み込まれるＬＥＤ実装用のフレキシブル配線板の底面図である。
【図４】ＬＥＤ実装用のフレキシブル配線板の他の例を示す底面図である。
【図５】電源用フレキシブル配線分割片の底面図である。
【図６】ＬＥＤ実装用フレキシブル配線分割片の底面図である。
【図７】電源用フレキシブル配線分割片とＬＥＤ実装用フレキシブル配線分割片との接続部分の断面図である。
【図８】フレキシブル配線板にＬＥＤを実装して導光板の他面に配置した従来の液晶モジュールの説明図である。
【符号の説明】
【００３８】
２    反射シート
３    導光板
４    光学シート（光拡散シート）
５    光学シート（プリズムシート）
６    液晶パネル
８    ＬＥＤ
１０  ＬＥＤ実装用のフレキシブル配線板
１１  電源用フレキシブル配線分割片
１１ａ  横長帯状部
１１ｂ  縦長帯状部
１１ｃ，１１ｄ  電源端子用ランド
１１ｅ，１１ｆ，１１ｇ，１１ｈ  接続用ランド
１１ｉ，１１ｊ  ＬＥＤ実装ランド
ｌｌｋ，１１ｎ  導線パターン
１２  ＬＥＤ実装用フレキシブル配線分割片
１２ａ，１２ｂ，１２ｃ，１２ｄ  接続用ランド
１２ｅ，１２ｆ  ＬＥＤ実装用ランド
１２ｇ，１２ｉ  導線パターン
１４  メインのフレキシブル配線板
１４ａ，１４ｂ  光源用端子
１７  半田ペースト
【図１】
2009104801.tif 000003
【図２】
2009104801.tif 000004
【図３】
2009104801.tif 000005
【図４】
2009104801.tif 000006
【図５】
2009104801.tif 000007
【図６】
2009104801.tif 000008
【図７】
2009104801.tif 000009
【図８】
2009104801.tif 000010